(57)【特許請求の範囲】
【請求項１】
景品を吊り上げる天井走行クレーンの景品吊上装置（３）が、
開閉爪装置（３５）と、
その中心軸が略鉛直となるように、その上端が天井を水平二軸方向に走行し得るキャリッジ（２１）に結合され、下端に開閉爪装置（３５）を支持するつる巻き板ばね（３１）と、
つる巻き板ばね（３１）と略同軸に設けられ、開閉爪装置（３５）を懸垂し昇降せしめるワイヤ（３２）と、
そのワイヤ（３２）を巻き上げ及び巻き戻すワイヤドラム（３３）と、
そのワイヤドラム（３３）を回転駆動する装置（３４）とから成るクレーンゲーム機（１）。
【請求項２】
つる巻き板ばね（３１）が円錐つる巻き板ばねである請求項１に記載のクレーンゲーム機（１）。
【請求項３】
つる巻き板ばね（３１）が円筒つる巻き板ばねである請求項１に記載のクレーンゲーム機（１）。
【発明の詳細な説明】
【０００１】
【発明の属する技術分野】
本発明は、クレーンゲーム機、特に、極めて構成が単純で安価に提供できる景品吊上装置を具備するクレーンゲーム機に関する。
【０００２】
【従来の技術】
従来公知のクレーンゲーム機の景品吊上装置は、開閉爪装置を単にワイヤで吊り下げるだけのものであったため、開閉爪装置が下降して景品に触れたとき、それが揺動し、そのためプレーヤーの思い通りの景品がつかめなくなるという問題があった。
この問題を解決するため、例えば、実公平７−１３７５６号に開示された景品吊上装置がある。
【０００３】
これの景品吊上装置は、開閉爪装置を入れ子式の伸縮パイプを介して吊り下げるものであるが、このような伸縮パイプは、直径の異なる数種類のパイプを組み合わせるものであるため、高精度にパイプを製造しなければならず、また、伸縮パイプ自体の重量も大きくなるので、伸縮に高出力の動力を使用しなければならず、製造コストと消費電力コストが嵩むという問題があった。
【０００４】
また、外パイプの内部で内パイプがスライドするものなので、両者の間に潤滑油を差す必要があり、さらに、内筒の外面に付着している潤滑油に埃が堆積すると外見が極めて悪くなるので、潤滑油を差すときなどに内パイプの外面を清掃する必要がある。
【０００５】
このため、この種の景品吊上装置においては、定期的なメンテナンスが必要であり、運用コストが嵩むという問題があった。
また、このようなメンテナンスを怠ると、内パイプの外面に多数の傷が付いて外見が悪くなり、さらには、滑らかに伸縮しなくなり、修理が必要となるという問題があった。
さらに、伸縮パイプは、輸送や景品の入替時のちょっとした衝撃でも変形し、円滑に伸縮しなくなるという問題があった。
【０００６】
【発明が解決しようとする課題】
本発明は上記の問題を解決するためなされたものであり、その目的とするところは、極めて構成が単純で故障し難く、低コストで提供できる景品吊上装置を具備するクレーンゲーム機を提供することにある。
【０００７】
【課題を解決するための手段】
上記の目的は、天井を水平二軸方向に走行し得るキャリッジから開閉爪装置を吊り下げる際、つる巻き板ばねとワイヤから成る装置を用いることによって達成される。つるまき板ばねとしては、円錐つるまき板ばね、いわゆる竹の子ばねを用いることが推奨されるが、円筒つるまき板ばねをもちいることも可能である。
このようなつるまき板ばねは伸張方向には柔軟であるが、曲げに対する強度が大であり、開閉爪装置が景品に接触したときも、それが揺動した傾いたりすることがなく、プレイヤーの思いのままに開閉爪装置が作動するものである。
【０００８】
【発明の実施の形態】
以下、図面により本発明の詳細を説明する。
図１は本発明に係るクレーンゲーム機の一実施例を示す正面図、図２は図１に示した景品吊上装置の構成を示す正面図、図３は図２に示した開閉爪装置の降下状態を示す正面図である。
図中、１はクレーンゲーム機、２は水平移動装置、３は景品吊上装置である。
【０００９】
このクレーンゲーム機１は、上半分にゲーム領域を具備し、正面の操作パネル１０上のボタンを操作してゲーム領域に置かれている景品を吊り上げてプレイするものである。
水平移動装置２は、図２に示したＹ軸レール２０及びキャリッジ２１と、図示されていないＸ軸レール及び駆動機構とから成る。
【００１０】
図示されていないＸ軸レールは、ゲーム領域の上部の前部及び後部にそれぞれ左右方向に水平に固定されている。
Ｙ軸レール２０は、上記Ｘ軸レールに直角に配される二本の平行な円管であって、Ｘ軸レールに沿って平行移動自在に支持され、図示しない駆動装置によって移動せしめられる。
キャリッジ２１は箱状であり、二本のＹ軸レール２０に沿って移動自在に設けられ、図示しない駆動装置によって移動せしめられる。
【００１１】
景品吊上装置３は、キャリッジ２１の下面に設けられ、ブラケット３０と、つる巻き板ばね３１と、ワイヤ３２と、ワイヤドラム３３と、駆動装置３４と、開閉爪装置３５とから成る。
ブラケット３０は断面コの字型の金具であり、一方の脚がキャリッジ２１の下面と接するようにキャリッジ２１に固定され、他の一方の脚にはつる巻き板ばね３１の一端が接続され、その両脚の間にはワイヤドラム３３と、駆動装置３４とが設けられる。
つる巻き板ばね３１は、竹の子ばね、即ち、板ばねのつる巻き線直角断面が長方形の円錐コイルばねであり、その最大径側がブラケット３０の下面に固定され、その下端には、開閉爪装置３５が取り付けられる。
【００１２】
ワイヤドラム３３は、ブラケット３０の一方の脚に設けた支持装置により回動自在に支持されており、それから引き出されたワイヤ３２は、他の一方の脚に設けられた挿通孔を通して、つる巻き板ばね３１の中心軸に沿って垂下し、その下端が開閉爪装置３５に接合される。
駆動装置３４は、モーター３４０、歯車３４１及び３４２などから成り、ワイヤドラム３３を回転駆動するものであり、これにより、ワイヤ３２を巻き上げ及び巻き戻し、開閉爪装置３５を昇降制御する。
【００１３】
このクレーンゲーム機１において、つる巻き板ばね３１は、開閉爪装置３５が上昇位置にあるときは、図２に示したように収縮して平面渦巻き状になっており、下降する伴って徐々に伸長し、図３に示したように、円錐状になる。
而して、本発明の要旨とするところは、景品吊上装置３の開閉爪装置３５の昇降に追従してつる巻き板ばね３１が伸縮するようにすることにある。
【００１４】
このように構成すると、つる巻き板ばね３１は中心軸方向の伸縮に対しては柔軟であるが、中心軸に直角な方向の曲げに対しては強い抵抗力を与え得るので、そのように構成しておくと、開閉爪装置３５が下降して景品に触れたときにも開閉爪装置３５が揺動したり傾いたりすることがなく、従ってプレイヤーは開閉爪装置を思いのままに操作できるようになるので、気持ち良くゲームができることになる。
【００１５】
従って、本発明は叙上の実施例に限定されるものではなく、例えば、つる巻き板ばねは円筒つる巻きばねでもよく、また、ワイヤドラムやキャリッジの水平移動装置を構成する部材等の形状や配置は本発明の範囲内で自由に設計変更できるものであり、本発明は上記の説明から当業者が容易に想到し得る総ての変更実施例を包摂するものである。
【００１６】
【発明の効果】
本発明に係るクレーンゲーム機は叙上の如く構成されるので、本発明によるときは、景品吊上装置に高価で故障し易い伸縮パイプを使用せずに済み、製造コスト及び運用コストを低く抑えることができる。
【図面の簡単な説明】
【図１】本発明に係るクレーンゲーム機の一実施例を示す正面図である。
【図２】図１に示した景品吊上装置の構成を示す正面図である。
【図３】図２に示した開閉爪装置の降下状態を示す正面図である。
【符号の説明】
１・・・・・・クレーンゲーム機
２・・・・・・水平移動装置
２０・・・・・Ｙ軸レール
２１・・・・・キャリッジ
３・・・・・・景品吊上装置
３０・・・・・ブラケット
３１・・・・・つる巻き板ばね
３２・・・・・ワイヤ
３３・・・・・ワイヤドラム
３４・・・・・駆動装置
３４０・・・・モーター
３４１・・・・歯車
３４２・・・・歯車
３５・・・・・開閉爪装置
【図１】
0003700874.tif 000002
【図２】
0003700874.tif 000003
【図３】
0003700874.tif 000004